(57)【要約】  大面積無線電力システムは、同期送信器と、同期送信機から複数の差動信号を受信し、複数の第２シングルエンド信号を出力する複数の同期受信器と、を有する。同期送信器は、第１シングルエンド信号を生成し、第１シングルエンド信号を、複数の差動線路対上で同期受信器に伝送されるべき複数の差動信号に変換し、同期受信器に電力も供給する。大面積無線電力システムは、同期受信器のそれぞれから複数の第２シングルエンド信号を受信し、電力を生成する複数の高電力増幅器と、複数の高電力増幅器によって生成された電力を受信し、電力を無線供給する複数の無線電力コイルと、も有する。
2020532269.tif 000002
【特許請求の範囲】
【請求項１】
大面積無線電力システムであって、
第１シングルエンド信号を生成し、前記第１シングルエンド信号を複数の差動信号に変換するための同期送信器と、
前記同期送信器からの前記複数の差動信号を受信し、複数の第２シングルエンド信号を出力する複数の同期受信器と、
前記同期受信器のそれぞれから前記複数の第２シングルエンド信号を受信し、電力を生成する複数の高電力増幅器と、
前記複数の高電力増幅器によって生成された電力を受信し、電力を無線供給する複数の無線電力コイルと、
を有する大面積無線電力システム。
【請求項２】
前記同期送信器は、
前記第１シングルエンド信号を生成する発振器と、
前記第１シングルエンド信号を受信し、前記複数の差動信号を生成する複数の差動ドライバと、を有する、
請求項１記載の大面積無線電力システム。
【請求項３】
前記複数の差動信号を前記同期送信器から前記複数の同期受信器まで搬送する複数の差動ケーブル
をさらに有する、
請求項１記載の大面積無線電力システム。
【請求項４】
各同期受信器は、
前記複数の差動信号を前記複数のシングルエンド信号に変換する差動受信器と、
前記シングルエンド信号を受信し、前記同期受信器をそれぞれの高電力増幅器から絶縁する絶縁ドライバと、を有する、
請求項３記載の大面積無線電力システム。
【請求項５】
各差動受信器は、前記複数の差動ケーブルのうちのそれぞれの差動ケーブルから、電力を受け取る。
請求項４記載の大面積無線電力システム。
【請求項６】
前記複数の同期受信器のうちのそれぞれは、
前記第１シングルエンド信号における位相遅延を補償する遅延補償回路をさらに有する、
請求項１記載の大面積無線電力システム。
【請求項７】
前記遅延補償回路は、前記差動受信器から前記シングルエンド信号を受信し、前記絶縁ドライバに位相遅延補償信号を提供する、
請求項６記載の大面積無線電力システム。
【請求項８】
前記遅延補償回路は、前記絶縁ドライバから前記シングルエンド信号を受信し、前記高電力増幅器に位相遅延補償信号を提供する、
請求項６記載の大面積無線電力システム。
【請求項９】
無線電力コイルへ高電力を供給するための増幅回路であって、
前記増幅回路は、
差動ドライバから差動信号を受信し、前記差動信号をシングルエンド信号に変換する差動受信器と、
前記シングルエンド信号を受信し、前記差動受信器を絶縁する絶縁ドライバと、
前記シングルエンド信号を受信し、前記無線電力コイルに電力を供給する高電力増幅器と、
前記シングルエンド信号が前記高電力増幅器に供給される前に、前記シングルエンド信号の任意の位相遅延を補償する遅延補償回路と、
を有する増幅回路。
【請求項１０】
前記遅延補償回路は、前記差動受信器から前記シングルエンド信号を受信し、前記絶縁ドライバに位相遅延補償信号を供給する、
請求項９記載の増幅回路。
【請求項１１】
前記遅延補償回路は、前記絶縁ドライバから前記シングルエンド信号を受信し、前記高電力増幅器に位相遅延補償信号を供給する、
請求項９記載の増幅回路。
【請求項１２】
複数の電力コイルに供給される複数の電力信号を同期させる同期回路であって、
前記同期回路は、
シングルエンド信号を生成し、前記シングルエンド信号を複数の差動信号に変換する同期送信器と、
前記同期送信器から前記複数の差動信号を受信し、前記複数の差動信号を複数の同期シングルエンド信号に変換する複数の同期受信器と、
前記複数の同期シングルエンド信号における位相遅延を補償する遅延補償回路と、
を有する、同期回路。
【請求項１３】
前記同期送信器は、
前記シングルエンド信号を生成する発振器と、
前記シングルエンド信号を受信し、前記複数の差動信号を生成する複数の差動ドライバと、を有し、
さらに、
前記複数の差動信号を前記同期送信器から前記複数の同期受信器へ搬送する複数の差動ケーブルを有する、
請求項１２記載の同期回路。
【請求項１４】
各同期受信器は、
前記複数の差動信号のうちのそれぞれ１つの差動信号を前記複数の同期シングルエンド信号のうちのそれぞれ１つ同期シングルエンド信号に変換する差動受信器と、
前記複数の同期シングルエンド信号のうちのそれぞれ１つ同期シングルエンド信号を受信し、前記同期受信器を高出力増幅器から絶縁する絶縁ドライバと、を有する、
請求項１２記載の同期回路。
【請求項１５】
前記遅延補償回路は、前記差動受信器から前記同期シングルエンド信号を受信し、前記絶縁ドライバに位相遅延補償信号を供給する、
請求項１２記載の同期回路。
【請求項１６】
前記遅延補償回路は、前記絶縁ドライバから前記同期シングルエンド信号を受信し、前記高電力増幅器に位相遅延補償信号を供給する、
請求項１２記載の同期回路。
【請求項１７】
前記遅延補償回路は、前記発振器から前記シングルエンド信号を受信し、前記複数の差動ドライバに位相遅延補償信号を供給する、
請求項１２記載の同期回路。
【請求項１８】
大面積無線電力システムであって、
共振大面積コイルと、
誘導コイルと、
前記誘導コイルに電力を供給し、それによって前記誘導コイルに前記共振大面積コイル内へ磁界を誘導させる高電流増幅器と、
を有する、大面積無線電力システム。
【請求項１９】
前高電流増幅器は、差動モードＺＶＳクラスＤ増幅器同士の間の循環電流を防止するために、電流平衡インダクタを用いて並列に配列された２つの差動モードＺＶＳクラスＤ増幅器として構成されている、
請求項１８記載の大面積無線電力システム。
【請求項２０】
前記高電流増幅器は、並列に配列された２つの差動モードクラスＥ増幅器として構成される、
請求項１８記載の大面積無線電力システム。
【請求項２１】
大面積無線電力システムであって、
大面積コイルと、
前記大面積コイルに電力を供給する高電圧増幅器であって、前記高電圧増幅器は、マルチレベル構成で積層された複数のＺＶＳクラスＤ増幅器を有する、高圧増幅器と、
を有し、
前記複数のＺＶＳクラスＤ増幅器の各々は同期してスイッチングされる、
大面積無線電力システム。
【発明の詳細な説明】
【技術分野】
【０００１】
本発明の実施形態は、複数の高度共振無線電力コイル（highly  resonant  wireless  power  coils）を介して大面積にわたって無線充電し、電力コイルに供給される信号を同期させるための電力システムに関する。
【背景技術】
【０００２】
近年、高度共振電磁誘導を用いた無線電力伝送システム（「無線エネルギー伝送システム」とも称される）において多くの開発が行われている。一般に、かかるシステムは、電源及び送信コイル、並びに、電力供給されるべき装置に接続された受信コイルを含む。無線電力伝送システムのアーキテクチャは、電源から負荷へのエネルギー伝達に用いられる、高周波数交番磁界を生成するコイルを使用することに集中している。電源は、電圧及び電流の形態のエネルギーを送信コイルに配電し、そのコイルの周りに、印加電圧及び電流に応じて変化する磁界を生成する。電磁波は、コイルから、自由空間を通って、負荷に結合された受信コイルまで伝搬する。電磁波が受信コイルを通過すると、受信コイルが捕捉するエネルギーに比例する電流が受信コイル内に誘導される。
【０００３】
無線電力伝送システムのための１つの既知のコイルレイアウトは、基本スパイラルループである。図１は、基本スパイラルループコイルを示す。基本スパイラルループコイルでは、コイルのインダクタンスＬはＮ２に比例する。ここで、Ｎはコイルの巻数である。この種のコイルは、典型的には、２０Ｗ未満の小さな低電力システムで使用される。
【０００４】
他の既知のコイルレイアウトは、基本インターリーブスパイラルループである。図２は、２つのインタリーブループ巻線を含む基本インタリーブスパイラルループコイルを示す。１つの巻線は一本の実線として示されている。もう一つの巻線は破線で示されている。図２において、２つの巻線は、高インダクタンス用には直列で、又は、低インダクタンス用には並列で構成されることができる。この種のループコイルは、一般的に、無線電力送信器（すなわち、電源側）に用いられる。図２に示す鏡像パターンは、充電表面（コイルからの特定の距離）にほぼ均一な磁界を与える。この種のループコイルは、中電力用途（最大７０Ｗシステム）に使用される。コイルの物理的サイズは、約１２インチ四方に制限される。
【０００５】
他のコイルレイアウトは、２０１８年３月１５日出願の米国特許出願第１５／９２２，２８６号に開示されている。その一例は、図３に示すコイルの配置である。図３は、ＰＣＢ上に複数のループの単一コイル１０を用いて形成されたコイルクラスタの中に形成された複数のループを示す。単一コイル１０は、複数の円形ループのパターンを形成するためにＰＣＢ上で巻かれている。複数の円形ループは直列に接続されている。コイルクラスタは、複数の円形ループのパターンを維持するために提供され、ループは、水平方向と垂直方向の両方で、隣接する各ループから等距離にある。これにより、コイルクラスタが重畳しているときに、コイルループのパターンが維持され、コイルクラスタが他のコイルクラスタとデカップリング（decoupled）される。これはまた、接続されたコイルクラスタのうちの各隣接ループを互いにデカップリングすることを可能にする。ループのデカップリングにより、直列に接続された小さなループの組み合わせから生じるインダクタンスは、等価なサイズの巻線コイルと比べて比較的低い。低誘導コイルは、虚部インピーダンス変動に対する環境の影響がより低いため、無線電力伝送において有利である。
【０００６】
大面積に電力を供給するために使用される場合、これらの無線電力システムに問題が生じ得る。例えば、コイル面積が増加するにつれて、放射される磁界の体積が増加し、その結果、生体組織への比吸収率（ＳＡＲ）が増加し、ＥＭＩ放射レベルが増加して、これは放射放出制限（radiated  emissions  limits）に準拠することを困難にする。
【０００７】
大コイル面積のもう１つの影響は、インダクタンスの増加であり、したがって、コイルを６．７８ＭＨｚの高度共振無線電力用途の、定められた、産業、科学、医療（ＩＳＭ）の帯域（the  fixed  industrial,  scientific  and  medical  (ISM)  band）に調整するには、キャパシタンスをさらに小さくすることが必要とされる。より小さいキャパシタンスは、許容誤差の影響を強調するため、共振を維持することが困難であり製造において実用的ではない。また、高インダクタンスは、同調キャパシタにわたる高電圧ストレスをもたらす。この電圧は容易に１０００Ｖを超え得る。
【０００８】
大面積コイルの二次的影響は、それらが、異種金属物の存在、デバイス（負荷）からのキャパシタンス、及び負荷電力需要などの、使用時の変動により、虚部インピーダンスシフトの影響を受けやすくなることである。
【０００９】
別の問題は、一般的に大面積コイルに使用される高周波数（６．７８ＭＨｚ）増幅器は、より高い電圧及び／又は電流のＦＥＴを使用したとしても、デバイス電圧定格及び設計限界のために、最大出力電力に制限を有することである。
【００１０】
したがって、上記の問題に対処する大面積無線電力システムを提供することが望まれる。  
【先行技術文献】
【特許文献】
【００１１】
【特許文献１】米国特許公開第２０１８０２６９７２７号公報
【発明の概要】
【００１２】
一実施形態では、複数のコイルを含む大面積無線電力システムが提供される。長距離にわたって複数のコイルに電力を供給する場合、タイミング歪み及びジッタが問題となり得るため、タイミング歪み及びジッタを低減するために同期回路が設けられる。同期回路は、コイルに供給される信号が同相であるか、少なくとも任意の最大位相遅延閾値内にあるように、信号の位相遅延を補償することもできる。複数のコイルから電力を受信し得る大きな負荷に対して、信号が同相であることを確実にすることが重要である。
【００１３】
例示的な実施例において、大面積無線電力システムは、同期送信器と、同期送信機からの複数の差動信号を受信し、複数の第２シングルエンド信号を出力する複数の同期受信器と、同期送信機は、第１シングルエンド信号を生成し、第１シングルエンド信号を複数の差動信号に変換する。大面積無線電力システムは、同期受信器のそれぞれから複数の第２シングルエンド信号を受信し、電力を生成する複数の高電力増幅器と、複数の高電力増幅器によって生成された電力を受信し、この電力を無線供給する複数の無線電力コイルと、も含む。
【００１４】
別の実施形態では、大面積無線電力システムは、共振大面積コイルと、より小さい誘導コイルと、誘導コイルに電力を供給し、それによって誘導コイルに共振大面積コイル内への磁界を誘導させる高電流増幅器と、を有する。高電流増幅器は、例えば、電流平衡インダクタを用いてして並列に配列された２つの差動モードＺＶＳクラスＤ増幅器として構成されてもよく、又は、並列に配列された２つの差動モードＥクラス増幅器として構成され得る。
【００１５】
もう一つの実施例では、大面積無線電力システムは、大面積コイルと、大面積コイルに電力を供給する高圧増幅器と、を有する。高電圧増幅器は、マルチレベル構成で積層された複数のＺＶＳクラスＤ増幅器を有し、複数のＺＶＳクラスＤ増幅器の各々は同期してスイッチングされる。
【００１６】
無線電力コイルに高電力を供給する増幅回路も記載されている。増幅回路は、差動ドライバから差動信号を受信し、その信号をシングルエンド信号に変換する差動受信器を有する。増幅回路はさらに、シングルエンド信号を受信し、差動受信器を絶縁する絶縁ドライバと、シングルエンド信号を受信し、無線電力コイルに電力を供給する高電力増幅器と、を有する。増幅回路は、シングルエンド信号が高電力増幅器に供給される前に、シングルエンド信号の任意の位相遅延を補償する遅延補償回路も有する。
【００１７】
同期回路は、複数の電力コイルに供給される複数の電力信号を同期させる同期回路も記載されている。同期回路は、前記シングルエンド信号を生成する発振器と、シングルエンド信号を複数の差動信号に変換する同期送信器を有する。同期回路はさらに、同期送信器から複数の差動信号を受信し、複数の差動信号を複数の同期シングルエンド信号に変換する複数の同期受信器を有する。同期回路は、複数の同期シングルエンド信号における位相遅延を補償する遅延補償回路も有する。
【００１８】
本発明の他の特徴及び利点は、添付の図面と併せて以下の説明を読むことで明らかになる。
【図面の簡単な説明】
【００１９】
【図１】基本スパイラルループコイルを示す図である。
【図２】２つのインタリーブループ巻線を有する基本インタリーブスパイラルループコイルを示す図である。
【図３】既知のマルチループコイルクラスタを示す図である。
【図４】一実施形態による大面積無線パワーシステムを示す図である。
【図５】一実施形態による同期回路を示す図である。
【図６】一実施形態による遅延補償回路を示す図である。
【図７】大面積無線パワーシステムの実施形態を示す図である。
【図８】大面積無線パワーシステムの実施形態を示す図である。
【図９】並列高電流ＺＶＳクラスＤ増幅器の実施形態を示す図である。
【図１０】並列高電流ＺＶＳクラスＥ増幅器の実施形態を示す図である。
【図１１】大面積無線パワーシステムの実施形態を示す図である。
【図１２】高圧マルチレベルＺＶＳクラスＤ増幅器の実施形態を示す図である。
【発明を実施するための形態】
【００２０】
図４は、本発明の第１実施形態による大面積無線電力システム４００を示す。無線電力システム４００は、３つのコイル４０Ａ、４０Ｂ、４０Ｃを有するが、電力を供給すべき領域のサイズに基づいて、より多くの又はより少ないコイルを使用することができる。図４以降の図は、図３のマルチループ構成を示しているが、コイル４０Ａ、４０Ｂ及び４０Ｃは、任意のコイルタイプであり得る。各コイルは、それぞれの無線電力増幅器４１Ａ、４１Ｂ、４１Ｃに結合されている。コイル４０Ａ、４０Ｂ、４０Ｃは、個別のステップでスケーリングする（scale  in  discrete steps）が、２つ以上のコイルに結合するのに十分大きな任意の負荷が、各コイルから同相の電力を受信することを確実にするために、各無線電力増幅器４１Ａ、４１Ｂ、４１Ｃ間の正確な同期を必要とする。さらに、無線電力増幅器間の物理的距離は、しかしながら、低いジッタ及びタイミング歪を伴う同期信号を分配することを困難にする。これに関して、各無線電力増幅器は、同期受信器４２Ａ、４２Ｂ、４２Ｃ及び同期送信器４３を含む同期回路５０に接続される。さらに、この実施形態では、コイル４０Ａ、４０Ｂ、４０Ｃは、−１７ｄＢの最大結合を有するように物理的に分離される。
【００２１】
高共振無線電力用途のＩＳＭ周波数、６．７８ＭＨｚにおいて、コイルクラスタの大面積は、それらの間の容量結合を増加させる。この容量結合は、コモンモード電流のための経路を提供する。コモンモード電流は、ＥＭＩ問題、不所望な加熱、及び劣化した性能に導く。これらのコモンモード問題を克服するために、適切なコモンモードチョーク４４Ａ、４４Ｂ、４４Ｃは、無線電力増幅器４１Ａ、４１Ｂ、４１Ｃ及びコイル４０Ａ、４０Ｂ、４０Ｃとの間に接続される。コモンモードチョーク４４Ａ、４４Ｂ、４４Ｃは、好ましくは、バイファイラ巻き（bifilar  wound）であり、好ましくは、キャパシタンスを減少させ、したがって、コア材料に直接誘導される損失を減少させるために、厚いプラスチック絶縁を使用する。
【００２２】
図５は、好ましい実施形態による、図４の同期送信器４３及び同期受信器４２Ａ、４２Ｂ、４２Ｃのブロック図であり、これらは共に同期回路５０を含む。同期回路５０は、差動伝送線路対５１Ａ、５１Ｂ、５１Ｃによって複数の同期受信器４２Ａ、４２Ｂ、４２Ｃに接続された同期送信器４３を含む。同期送信器４３は、無線電力システム４００のためのシングルエンドクロック信号を供給する発振器５２と、シングルエンドクロック信号を差動信号に変換する差動ドライバ５３Ａ、５３Ｂ、５３Ｃと、各差動伝送線路対５１Ａ、５１Ｂ、５１Ｃに電力を供給するＤＣ電源５４と、を含む。発振器５２によって供給される信号の周波数は、好ましくは６．７８ＭＨｚであり、高度共振無線電力用途のためのＩＳＭ帯域である。各同期受信器４２Ａ、４２Ｂ、４２Ｃは、絶縁ドライバ５６Ａ、５６Ｂ、５６Ｃに接続された差動受信器５５Ａ、５５Ｂ、５５Ｃを含む。
【００２３】
差動伝送線路対５１Ａ、５１Ｂ、５１Ｃは、クロック信号を発振器５２から各差動受信器５５Ａ、５５Ｂ、５５Ｃへ分配するために使用される。差動伝送線路路対５１Ａ、５１Ｂ、５１Ｃは、無線電力電磁界からの防護（immunity）を提供するために使用され、ジッタ及びタイミング誤差を誘発し得る反射を防止する固定インピーダンス、好ましくは５０Ω又は１００Ωを有する。各同期受信器４２Ａ、４２Ｂ、４２Ｃは、それぞれの差動伝送線路対５１Ａ、５１Ｂ、５１Ｃから差動信号を受信し、それぞれの無線電力増幅器４１Ａ、４１Ｂ、４１Ｃに接続された絶縁ドライバ５６Ａ、５６Ｂ、５６Ｃの形態で、絶縁バリアにわたって送信されるシングルエンド信号に変換する。各差動受信器５５Ａ、５５Ｂ、５５Ｃの出力は、各無線電力増幅器４１Ａ、４１Ｂ、４１Ｃの間の高周波低インピーダンス経路を除去するために、絶縁ドライバ５６Ａ、５６Ｂ、５６Ｃに供給される。各差動受信器５５Ａ、５５Ｂ、５５Ｃは、好ましくは、それぞれの差動伝送線路対５１Ａ、５１Ｂ、５１Ｃを介してＤＣ電源５４からＤＣ電力を受信する。各絶縁ドライバは、好ましくは、それぞれの無線電力増幅器４１Ａ、４１Ｂ、４１Ｃによって電力供給される。
【００２４】
複数のコイルを同期させる場合、長さの異なるケーブルが必要となる。しかしながら、しかし、異なる長さのケーブルを使用すると、各受信器においてそれぞれ他の信号に対して位相差が生じる可能性がある。上述のように、種々のコイルが同相であることが重要である。この問題に対処する一つの方法は、同期送信器を同期受信器に接続するために同じ長さのケーブルを使用することである。しかしながら、送信器と受信器との間の距離が短いコイルでは、ケーブルが束ねられる結果となり、そのような束ねられたケーブルを収納するためのスペースが必要となる。したがって、この解決法は望ましくない。別の解決法は、図５に示すように、各同期回路に遅延補償回路５７Ａ、５７Ｂ、５７Ｃを含むことである。ケーブルが最も短い場合、遅延補償回路は、より長い遅延を加えるように構成され得る。ケーブルが中程度の長さの場合、遅延補償回路は、中程度の遅延を加えるように構成することができる。ケーブルが最も長い場合、遅延補償回路は必要なく、すべての遅延回路設定に対する遅延基準として機能する。全ての付加された遅延は、各受信器に関する種々の信号間の位相差を最小限、好ましくは２００ピコ秒以下にするという目標を達成するように意図されている。
【００２５】
遅延補償回路５７Ａ、５７Ｂ、５７Ｃは、好ましくは、図５に示すように、差動受信器５５Ａ、５５Ｂ、５５Ｃと絶縁ドライバ５６Ａ、５６Ｂ、５６Ｃとの間に配置されている。遅延補償回路５７Ａ、５７Ｂ、５７Ｃは、代わりに、絶縁ドライバ５６Ａ、５６Ｂ、５６Ｃの後段であって無線電力増幅器４１Ａ、４１Ｂ、４１Ｃの前段に、又は発振器５２と同期送信器４３の差動ドライバ５３Ａ、５３Ｂ、５３Ｃとの間に配置され得る。図６は、例示的な遅延補償回路５７Ａ、５７Ｂ、５７Ｃを示し、例示的な遅延補償回路がどのように動作して遅延を補償するかをグラフで示す。図６に示す遅延補償回路は、例示的なものであり、任意の既知の遅延補償回路を使用することができる。
【００２６】
図７は、無線電力システム７０を有する本発明の代替的実施形態を示す。無線電力システム７０は、米国特許出願第１５／９２２，２８６号に記載されているように、コイル４０Ａ、４０Ｂ、４０Ｃが部分的に（例えば、距離ａだけ）重複する点を除いて、無線電力システム４００（図４）とほぼ同一である。
【００２７】
図８は、別の実施形態による大面積無線電力システム８０を示す。大面積無線電力システム８０は、共振大面積コイル８１及びより小さな誘導コイル８２を使用する。高電流増幅器８３によって駆動されるより小さい誘導コイル８２は、共振大面積コイル８１内に磁界を誘導し、共振によって磁界を増強する。より小さな誘導コイル８２は高電流の一次コイルであり、すなわち、共振大面積コイル８１中で高電力を駆動するための電流は、より小さな誘導コイルに高電流をもたらし、変流器（a  current  transformer）のように挙動する。より小さい誘導コイル８２は、同調されているか又はされていなくてもよい。共振大面積コイル８１は、低電流コイルであり、同調されている。
【００２８】
大面積無線電力システム８０内の２つのコイル８１、８２の組み合わせは、変流器として作用し、補正電流（the  correct  current）を生じる。図４の大面積無線電力システム４００にわたる大面積無線電力システム８０の２コイルアプローチの主な利点は、共振大面積コイル８１が、電力表面積にわたる周期的な小さなギャップなしに一様な電界を生成するように設計され得ることである。しかしながら、大面積無線電力システム８０の２コイルアプローチは、誘導コイル面積の増加のために、非常に大きな面積にスケーリングする能力が制限されている。また、誘導コイルと共振コイルの両方が、広い面積に適した特性を有することも必要である。
【００２９】
高電流増幅器８３は、例えば、図９に示されるように、電流平衡インダクタＬＢ１、ＬＢ２、ＬＢ２、ＬＢ４を用いて並列に配列された２つの差動モードＺＶＳクラスＤ増幅器であり得、図１０に示すように、複数の差動モードＺＶＳクラスＤ増幅器の間の、又は２つの差動モードクラスＥ増幅器の間の循環電流を防止し得る。これらの両方の場合において、電流を増加させることによって、コイルへの電力は増加される。かかる並列増幅器は、米国特許第９，３３１，０６１号に詳細に記載されている。図９及び１０の増幅器トポロジーの各々に使用されるＦＥＴの各々に対するゲート信号タイミングは、損失の増加を招き得る電流不均衡又は循環を阻止するために正確なタイミングを必要とする。これは、信号が遅延補償回路５７Ａ、５７Ｂ、５７Ｃと同様の方法で狭いウィンドウ内に到達するように、同等の信号伝送経路長と共に低レイテンシゲートドライバを使用することを必要とする
【００３０】
図１１は、別の実施形態による大面積無線電力システム１１０を示す。大面積無線電力システム１１０は、高電圧増幅器１１２によって電力供給される単一の大型コイル１１１を使用する。無線電力システム１１０は、コイル内に十分な電流を誘導するのに十分高い駆動電圧を提供することによって、大型コイルに関連する問題を克服する。
【００３１】
図１２は、高電圧増幅器１１２の例示的な実施形態を示す。高電圧増幅器１１２は、マルチレベル構成でスタックされた複数のＺＶＳクラスＤ増幅器を含み、ここで、すべての増幅器は同期してスイッチされる必要がある。マルチレベルコンバータに固有のものであるが、高電圧増幅器１１２は、負荷のための出力周波数を増加させながら、より低いスイッチング周波数を可能にする。これは、トポロジー内の多くのデバイスの損失を低く保つ。このトポロジーは、ＺＶＳクラスＤトポロジーが各レベル（ハーフブリッジ）に対してＺＶＳを保証するために使用されるマルチレベルコンバータ上で広がっている。図１２は、差動モード構成を示すが、高電圧増幅器１１２は、シングルエンドであってもよい。
【００３２】
上記の詳細な説明では、特定の実施形態を参照する。これらの実施形態は、当業者がそれらを実施することができるように十分に詳細に記載されている。他の実施形態を使用することができ、種々の構造的、論理的、及び電気的変更を行うことができることが理解されるべきである。さらに、特定の実施形態は、エネルギー伝送システムに関連して記載されるが、本明細書に記載される特徴は、一般に、他のタイプの回路にも適用可能であることを理解されたい。
【図１】
2020532269.tif 000003
【図２】
2020532269.tif 000004
【図３】
2020532269.tif 000005
【図４】
2020532269.tif 000006
【図５】
2020532269.tif 000007
【図６】
2020532269.tif 000008
【図７】
2020532269.tif 000009
【図８】
2020532269.tif 000010
【図９】
2020532269.tif 000011
【図１０】
2020532269.tif 000012
【図１１】
2020532269.tif 000013
【図１２】
2020532269.tif 000014
【国際調査報告】
2020532269.tif 000015
2020532269.tif 000016
2020532269.tif 000017